(57)【要約】    【課題】施工が比較的簡単であり、ブロック積み覆工を傷めることなく、かつブロックの抜けによる剥落を防止することができるブロック積みトンネル覆工の補強工法およびその構造物を提供する。    【解決手段】ブロック積みトンネル覆工の層間をアンカーボルト１７で締結させ、トンネル覆工の層間を一体化させる。【選択図】図１
2005290756.tif 000002
【特許請求の範囲】
【請求項１】
ブロック積みトンネル覆工の層間をアンカーボルトで締結させ、当該ブロック積み覆工の層間の弱層部を連結し一体化することを特徴とするブロック積みトンネル覆工の補強工法。
【請求項２】
請求項１記載のブロック積みトンネル覆工の補強工法において、前記ブロック積み覆工の層間の弱層部を連結し一体化するために、前記ブロック積み覆工の層間に穿孔を形成し、アンカーボルトで締結させ覆工を一体化することを特徴とするブロック積みトンネル覆工の補強工法。
【請求項３】
請求項２記載のブロック積みトンネル覆工の補強工法において、前記穿孔した孔の孔壁が、覆工体に作用する地圧によって不安定な場合には、アンカーボルトを挿入し、注入材を注入し定着することを特徴とするブロック積みトンネル覆工の補強工法。
【請求項４】
請求項１、２又は３記載のブロック積みトンネル覆工の補強工法において、当該補強工法と併用して吹き付けコンクリートや吹付けモルタル、連続繊維シート工法、鋼板や型鋼などを覆工に当てがう当て板工法を施工することを特徴とするブロック積みトンネル覆工の補強工法。
【請求項５】
請求項１、２又は３記載のブロック積みトンネル覆工の補強工法において、当該補強工法の後に裏込め注入を施工することを特徴とするブロック積みトンネル覆工の補強工法。
【請求項６】
請求項１から５の何れか一項記載のブロック積みトンネル覆工の補強工法を施工してなるブロック積みトンネル覆工構造物。
【発明の詳細な説明】
【技術分野】
【０００１】
本発明は、ブロック積みトンネル覆工の補強工法およびその構造物に関するものである。
【背景技術】
【０００２】
昭和初期までに建設された鉄道トンネル覆工の多くは、主に母材にレンガ、石、コンクリートブロック等を用い、漆喰やモルタル等の目地材を介して縦横に組み合わせることで構築された構作物である。これらレンガ、石、コンクリートブロック等で構築されたブロック積みトンネル覆工は、現在でも供用されており、老朽対策が問題となっている。例えば、このブロック積みトンネル覆工に地圧や水圧等の外力が作用すると、覆工には周方向に軸力が生じ覆工体中の弱部となる厚み方向の層間の目地に沿ってひび割れが発生することで、母材は健全でも覆工耐力が急激に低下する現象が生じる。
【０００３】
そこで、そのブロック積みトンネルの覆工の補強対策が行われる。従来、ブロック積みトンネル覆工の補強工法としては、ポインチング、裏込め注入工、ロックボルト工等があるが、覆工体中の層間のひび割れを防止するものではなかった。
【０００４】
図６は従来のブロック積みトンネル覆工の補強工法としてのポインチングの模式図である。
【０００５】
この図に示すように、ブロック積みトンネルには地圧１などにより層間ひび割れ３が生じるが、ブロック積み覆工の目地やせ箇所に対して目地材を詰めるポインチング４により、覆工耐力を初期の状態までに回復させるようにしている。なお、図６中の２は背面空洞である。
【０００６】
図７は従来のブロック積みトンネル覆工の補強工法としての裏込め注入工の模式図である。
【０００７】
このように、裏込め注入工では、背面空洞２の充填が行われる。つまりトンネル覆工内面から背面空洞２に対してエアモルタルなどの注入材５を入れ、地盤反力を期待し、不均等な荷重が局部的に作用しないようにしている。
【０００８】
図８は従来のブロック積みトンネル覆工の補強工法としてのロックボルト工の模式図である。
【０００９】
このように、ロックボルト工では、ブロック積みトンネルに、覆工内面から地山側に向かってロックボルト６を打設することにより、地圧による変状の進行性そのものの抑制と地山への縫付け効果による覆工片の剥落防止を行うようにしている。
【特許文献１】なし
【発明の開示】
【発明が解決しようとする課題】
【００１０】
しかしながら、従来の各工法には以下のような問題点がある。
【００１１】
（１）ポインチングでは、目地やせ部や目地の欠損部に目地材を詰めるのは時間を要し、施工に難がある。また、初期の耐力以上に補強することは困難である。
【００１２】
（２）裏込め注入工では、層間ひび割れ３に起因して浮きが生じた覆工片の剥落防止は、期待できない。また、かえって、注入材５の自重、圧送圧によって、注入時に覆工片の浮きが剥落する恐れがある。
【００１３】
さらに、覆工自体そのものの耐力向上は期待できないので、目地やせして耐力が低下していると考えられる場合は、別途注入前に補強セントルやポインチングなどの補強、補修を行う必要がある。
【００１４】
（３）ロックボルト工では、変状箇所の覆工の耐力は期待できないので、覆工より反力が取れないため、ボーリングマシンを軌道上の仮設足場の上に置き、そこから削孔する必要があり、初期設備が大がかりとなり、コスト高となる。
【００１５】
また、変状箇所に直径５０ｍｍ程度の孔を３〜４ｍ程度削孔する必要があるため、削孔時の削孔水、振動によって変状箇所周辺のブロック積み覆工を傷める可能性が高い。
【００１６】
本発明は、上記状況に鑑みて、ブロック積み覆工の層間のひび割れを抑制することができ、かつ施工が比較的簡単であるブロック積みトンネル覆工の補強工法およびその構造物を提供することを目的とする。
【課題を解決するための手段】
【００１７】
本発明は、上記目的を達成するために、
〔１〕ブロック積みトンネル覆工の補強工法において、ブロック積みトンネル覆工の層間をアンカーボルトで締結させ、当該ブロック積み覆工の層間の弱層部を連結し一体化することを特徴とする。
【００１８】
〔２〕上記〔１〕記載のブロック積みトンネル覆工の補強工法において、前記ブロック積み覆工の層間の弱層部を連結し一体化するように、前記ブロック積み覆工の層間に穿孔を形成し、アンカーボルトで締結させ覆工を一体化することを特徴とする。
【００１９】
〔３〕上記〔２〕記載のブロック積みトンネル覆工の補強工法において、前記穿孔した孔の孔壁が、覆工体に作用する地圧によって不安定な場合には、アンカーボルトを挿入し、注入材を注入し定着することを特徴とする。
【００２０】
〔４〕上記〔１〕、〔２〕又は〔３〕記載のブロック積みトンネル覆工の補強工法において、当該補強工法と併用して吹き付けコンクリートや吹付けモルタル、連続繊維シート工法、鋼板や型鋼などを覆工に当てがう当て板工法を施工することを特徴とする。
【００２１】
〔５〕上記〔１〕、〔２〕又は〔３〕記載のブロック積みトンネル覆工の補強工法において、当該補強工法の後に裏込め注入を施工することを特徴とする。
【００２２】
〔６〕ブロック積みトンネル覆工構造物であって、上記〔１〕から〔５〕の何れか一項記載のブロック積みトンネル覆工の補強工法を施工してなる。
【発明の効果】
【００２３】
本発明によれば、以下のような効果を奏することができる。
【００２４】
（１）ブロック積みトンネル覆工の層間をボルトで締結させ、このトンネル覆工を一体化させることにより耐力の向上を図ることができる。
【００２５】
（２）ブロック積みトンネル覆工を一体化させることで剥落に対する対策にもなる。さらに、既に覆工の層間にひび割れが発生して層分かれしたトンネル覆工に対してもボルト締めすることで覆工体の一体化を図ることができる。
【００２６】
（３）穿孔する孔径が直径１６ｍｍ程度でよいので、穿孔中の影響をロックボルト工より抑制することができ、施工設備もハンマドリル程度で済み、ロックボルト工に比して大掛かりにならないで済む。
【発明を実施するための最良の形態】
【００２７】
既設のブロック積みトンネル（コンクリートブロックあるいはレンガ、石）の補強を行うにあたって、アンカーボルトを打設することで、ブロック積み覆工特有の層間の弱層部を連結し一体化（平面保持）させることで覆工耐力の向上を図る。併せて、覆工片の剥落対策も兼ねる。
【実施例】
【００２８】
以下、本発明の実施の形態について詳細に説明する。
【００２９】
図１は本発明の実施例を示すアンカーボルト工による補強工法の模式図であり、図１（ａ）はその全体構成図、図１（ｂ）は図１（ａ）のＡ部拡大図である。
【００３０】
上述したように、ブロック積みトンネルには地圧１１などにより層間ひび割れ１３が生じて耐力が急激に低下するが、本発明では、レンガ覆工の層間をアンカーボルト（φ１２以上の異形棒鋼あるいは全ネジボルト等）１７で締結させ覆工を一体化させる。なお、図１（ａ）中の１２は背面空洞、図１（ｂ）中の１９は目地である。
【００３１】
図２は本発明の実施例を示すアンカーボルト工による補強工法の施工手順を示す図である。
【００３２】
（１）まず、図２（ａ）に示すように、積層された母材１４としてのレンガ（石あるいはコンクリートブロックであってもよい）にハンマドリル１５で穿孔（孔径の直径１６ｍｍ）１６を形成する。
【００３３】
（２）次に、図２（ｂ）に示すように、穿孔１６内の清掃を行う。
【００３４】
（３）次に、図２（ｃ−１），（ｃ−２）に示すように、アンカーボルト（φ１２以上の異形棒鋼あるいは全ネジボルト等）１７を穿孔１６へ挿入する。
【００３５】
なお、このアンカーボルト１７〔図３（ａ）〕を、図３（ｂ）に示すように、止水テープ（例えば、水膨潤ゴムなど）１７−１で被覆し、止水性を向上させる場合もある。
【００３６】
（４）次に、図２（ｄ−１），（ｄ−２）に示すように、アンカーボルトとしての異形棒鋼（Ｄ１３）１７のボルト締めを行い補強されたブロック積みトンネル覆工１８を施工する。なお、１７Ａはボルト締めされたアンカーボルトの先端部、１７Ｂはアンカーボルトのナット締結部である。
【００３７】
なお、ここで、アンカーボルトによる締結機構を図４を用いて、詳細に説明する。
【００３８】
まず、図４（ａ）に示すように、ハンマドリル１５で覆工を穿孔すると、図４（ｂ）に示すようにその穿孔１６にアンカーボルト１７を挿入する。アンカーボルト１７が覆工背面の空洞に出ると、図４（ｃ）に示すように、自然に端部が回転する。次に、図４（ｄ）に示すように、アンカーボルト１７の端部の引っ掛かりを確認するために一旦引いてみる。次に、内空側のナットを締め付け、施工は完了する。
【００３９】
このように、挿入したアンカーボルトは、覆工背面の空洞部に出ると端部が回転し、覆工背面で引っ掛かる構造である。これによって、ナットを締めつければ締結が可能となる。
【００４０】
なお、覆工体に穿孔した孔の孔壁が、覆工体に作用する地圧によって不安定になり、φ（直径）１６ｍｍの孔にアンカーボルト（Ｄ１３）を挿入できない場合は、以下のような方法を講じる。
【００４１】
図５は本発明の他の実施例を示すアンカーボルト工による補強工法の施工手順を示す図である。
【００４２】
（１）まず、図５（ａ）に示すように、積層された母材２１としてのレンガ（コンクリートブロックであってもよい）にハンマドリル２４で穿孔（孔径の直径２５ｍｍ）を形成する。ここで、２２は目地、２３は層間ひび割れを示している。
【００４３】
（２）次に、図５（ｂ）に示すように、スポンジ２６で穿孔２５内の清掃と孔壁の止水を兼ねたシーラ塗布を行う。
【００４４】
（３）次に、図５（ｃ−１），（ｃ−２）に示すように、アンカーボルト２７を穿孔２５へ挿入する。このアンカーボルト２７は覆工背面からの穿孔２５内への浸水防止と注入材（例えば、セメントミルクやモルタルなど）の覆工背面への逸走防止のためのゴムパッキン２８を備えている。
【００４５】
（４）次に、図５（ｄ−１），（ｄ−２）に示すように、アンカーボルト（Ｄ１３）２７を仮にセットしておく（ボルト締めは後に行う）。さらに、注入管２９と空気抜け管３０を挿入する。
【００４６】
（５）次に、図５（ｅ−１），（ｅ−２）に示すように、覆工表面から注入材３１を注入管２９より注入する。
【００４７】
（６）次に、注入材３１を注入し続け、図５（ｆ−１），（ｆ−２）に示すように、空気抜け管３０より注入材３１が出た段階で、空気抜け管３０を抜き出し、アンカーボルト２７のボルト締めを行う。なお、２７Ａはボルト締めされたアンカーボルトの先端部、２７Ｂはアンカーボルトのナット締結部である。
【００４８】
このように、覆工体に穿孔した孔の孔壁が、覆工体に作用する地圧によって不安定な場合には、直径φ２５ｍｍ程度の穿孔２５にして、アンカーボルト２７を挿入し、注入材３１を注入し定着する。
【００４９】
このように構成したので、ブロック積みトンネル覆工の層間をアンカーボルトで締結させ、このトンネル覆工の層間を一体化させることができる。
【００５０】
また、当該アンカーボルト工による補強工法と併用して吹き付けコンクリートや吹付けモルタル、連続繊維シート工法、鋼板や型鋼などを覆工に当てがう当て板工法を施工することにより、面的に拘束力を付加して、より強固な補強を行うことができる。
【００５１】
特に、吹付けコンクリートや吹付けモルタル（コテ塗りモルタルも含む）を併用した場合は、ブロック積み覆工表面の不陸（目地部の凹部）を調整しながら覆工断面が増加するため、増強効果がより顕著に現れる。また、吹付けコンクリートや吹付けモルタル内にメッシュ状の連続繊維シート（繊維シートの材質は、例えば、アラミド、ビニロンなど）を付加した場合は、覆工耐力のピーク後においても覆工片が飛散しないため、急激な耐力低下をしない効果も得ることができる。
【００５２】
ブロック積みトンネル覆工の場合、覆工耐力が心配であるが、裏込め注入を行う際に比重の軽い材料を用いたり、あらかじめ補強した後、裏込め注入を行うことがある。そのような場合に、当該アンカーボルト工による補強工法をあらかじめ施工した後に裏込め注入を行うと、覆工耐力の心配がなく、より確実な補強を行うことができる。
【００５３】
なお、本発明は上記実施例に限定されるものではなく、本発明の趣旨に基づき種々の変形が可能であり、これらを本発明の範囲から排除するものではない。
【産業上の利用可能性】
【００５４】
本発明のブロック積みトンネル覆工の補強工法およびその構造物は、鉄道のトンネルの覆工の補強に利用可能である。
【図面の簡単な説明】
【００５５】
【図１】本発明の実施例を示すアンカーボルト工による補強工法の模式図である。
【図２】本発明の実施例を示すアンカーボルト工による補強工法の施工手順を示す図である。
【図３】本発明の実施例を示すアンカーボルトを示す図である。
【図４】本発明にかかるアンカーボルトによる締結機構の詳細な説明図である。
【図５】本発明の他の実施例を示すアンカーボルト工による補強工法の施工手順を示す図である。
【図６】従来のブロック積みトンネル覆工の補強工法としてのポインチングの模式図である。
【図７】従来のブロック積みトンネル覆工の補強工法としての裏込め注入工の模式図である。
【図８】従来のブロック積みトンネル覆工の補強工法としてのロックボルト工の模式図である。
【符号の説明】
【００５６】
１１    地圧
１２    背面空洞
１３，２３    層間ひび割れ
１４，２１    母材（レンガ、コンクリートブロック、石）
１５，２４    ハンマドリル
１６，２５    穿孔
１７，２７    アンカーボルト（φ１２以上の異形棒鋼あるいは全ネジボルト等）
１７Ａ，２７Ａ    ボルト締めされたアンカーボルトの先端部
１７Ｂ，２７Ｂ    アンカーボルトのナット締結部
１７−１    止水テープ
１８    補強されたブロック積みトンネル覆工
１９，２２    目地
２６    スポンジ
２８    ゴムパッキン
２９    注入管
３０    空気抜け管
３１    注入材
【図１】
2005290756.tif 000003
【図２】
2005290756.tif 000004
【図３】
2005290756.tif 000005
【図４】
2005290756.tif 000006
【図５】
2005290756.tif 000007
【図６】
2005290756.tif 000008
【図７】
2005290756.tif 000009
【図８】
2005290756.tif 000010